(57)【要約】      （修正有）【課題】製造工程や組み立て作業を効率化できる包装容器を提供する。【解決手段】包装容器１は折り目Ｆｅ、Ｆｆを介して右側面部及び左側面部１２Ｌにそれぞれ接続されている右蓋部１５Ｒ及び左蓋部１５Ｌを有している。包装容器１の展開状態において、右蓋部１５Ｒは右側面部のさらに右側に位置し、左蓋部１５Ｌは左側面部１２Ｌのさらに左側に位置している。折り込み部１６Ａ、１６Ｂは右側面部及び右蓋部１５Ｒの内面に向けて折り込まれる。左蓋部１５Ｌは、折り込み部１６Ａ、１６Ｂと右蓋部１５Ｒとの間に差し込むことができる。【選択図】図３
2017114498.tif 000002
【特許請求の範囲】
【請求項１】
シートを折りたたむことで形成されている包装容器であって、
第１の方向における一方側を第１の側と定義し、前記第１の方向において前記第１の側とは反対側を第２の側と定義し、前記第１の方向に対して直交している第２の方向における一方側を第３の側と定義し、前記第２の方向において前記第３の側とは反対側を第４の側と定義したとき、
前記包装容器は、
底面部と、
前記包装容器の展開状態において前記底面部の前記第１の側に位置し、前記底面部に折り目を介して繋がっている第１面部と、
前記包装容器の展開状態において前記第１面部の前記第１の側に位置し、前記第１面部に折り目を介して繋がっている第１蓋部と、
前記包装容器の展開状態において前記底面部の前記第２の側に位置し、前記底面部に折り目を介して繋がっている第２面部と、
前記包装容器の展開状態において前記第２面部の前記第２の側に位置し、前記第２面部に折り目を介して繋がっている第２蓋部と、
前記包装容器の展開状態において前記底面部の前記第３の側に位置し、前記底面部に折り目を介して繋がっている第３面部と、
前記包装容器の展開状態において前記第１面部と前記第１蓋部の前記第３の側に位置し且つ前記第３面部の前記第１の側に位置し、前記第１面部と第１蓋部と前記第３面部とに折り目を介して繋がっており、前記第１面部と前記底面部との間の前記折り目で前記第１面部を折り、前記第３面部と前記底面部との間の前記折り目で前記第３面部を折ったときに前記第１面部の内面と前記第１蓋部の内面とに向けて折りたたむことのできる折り込み部と、を有し、
前記第２蓋部は、前記第１蓋部の内面に向けて折りたたまれた前記折り込み部と前記第１蓋部との間に差し込むことができる
ことを特徴とする包装容器。
【請求項２】
前記包装容器は、前記包装容器の展開状態において前記第３面部の前記第３の側に位置し、折り目を介して前記第３面部に繋がっており、前記包装容器が閉じられた状態で前記第１蓋部と前記第２蓋部のうち少なくとも一方によって覆うことのできる第１上面部を有している
ことを特徴とする請求項１に記載の包装容器。
【請求項３】
前記第２の方向における前記第１上面部の幅は前記底面部よりも小さい
ことを特徴とする請求項２に記載の包装容器。
【請求項４】
前記包装容器は、
前記底面部に折り目を介して繋がっており、前記包装容器の展開状態において前記底面部の前記第４の側に位置している第４面部と、
前記包装容器の展開状態において前記第４面部の前記第４の側に位置し、折り目を介して前記第４面部に繋がっており、前記包装容器が閉じられた状態で前記第１蓋部と前記第２蓋部のうち少なくとも一方によって覆われる第２上面部とを有し、
前記第２の方向における前記第１上面部の幅と前記第２上面部の幅との合計は前記底面部よりも小さい
ことを特徴とする請求項３に記載の包装容器。
【請求項５】
前記第１蓋部が有する前記第１の側の縁は前記第１の側に膨らむように湾曲している
ことを特徴とする請求項１乃至４のいずれかに記載の包装容器。
【請求項６】
前記折り込み部の外縁は、前記第１蓋部が有する前記第１の側の縁から前記第３面部の前記第３の側の縁に向かって斜めに伸びている
ことを特徴とする請求項１乃至５のいずれかに記載の包装容器。
【請求項７】
前記包装容器は前記包装容器の展開状態において、前記第１の方向に沿った中心線と前記第２の方向に沿った中心線の少なくとも一方に対して実質的に対称である
ことを特徴とする請求項１乃至６のいずれかに記載の包装容器。
【請求項８】
前記第１面部と前記第２面部のそれぞれは、前記第２の方向において、前記底面部よりも小さい幅を有している
ことを特徴とする請求項１乃至７のいずれかに記載の包装容器。
【請求項９】
前記第２蓋部は前記第２の方向において前記第１蓋部よりも小さい
ことを特徴とする請求項１乃至８のいずれかに記載の包装容器。
【請求項１０】
少なくとも４本の折り目が交差する位置に、穴、凹部、又は前記少なくとも４本の折り目に沿った切り込みが形成されている
ことを特徴とする請求項１乃至９のいずれかに記載の包装容器。
【請求項１１】
前記折り込み部は前記折り込み部の第１の部分と前記折り込み部の前記第２の部分との間に形成されている折り目を有し、
前記底面部と前記第１面部との間の前記折り目と、前記底面部と前記第３面部との間の前記折り目と、前記第１面部と前記折り込み部との間の折り目と、前記第３面部と前記折り込み部との間の前記折り目と、前記折り込み部の前記第１の部分と前記第２の部分との間の前記折り目とが交差する位置に、穴、凹部、又はこれらの折り目に沿った切り込みが形成されている
ことを特徴とする請求項１乃至９のいずれかに記載の包装容器。
【請求項１２】
前記第２の方向における前記第１面部の幅が前記第２の方向における前記底面部の幅よりも小さくなるように、前記折り込み部と前記第１面部との間の前記折り目の位置と、前記底面部と前記第３面部との間の前記折り目の位置は前記第２の方向においてずれている
ことを特徴とする請求項１１に記載の包装容器。
【発明の詳細な説明】
【技術分野】
【０００１】
本発明は、厚紙や、段ボール紙、樹脂、金属泊などのシートを折りたたむことによって形成される包装容器に関する。
【背景技術】
【０００２】
従来、厚紙や段ボール紙などのシートを折りたたむことによって形成される箱状の包装容器が利用されている（例えば、下記特許文献１）。展開状態の包装容器であるシートは、包装容器の側面、正面、後面、上面（蓋）、及び底面を構成する部分を有している。各面は隣接する面に折り目を介して接続している。
【先行技術文献】
【特許文献】
【０００３】
【特許文献１】特開平０８−８０９３６号公報
【発明の概要】
【発明が解決しようとする課題】
【０００４】
展開状態の包装容器であるシートは、多くの場合、それよりも大きなシートを裁断して形成される。従来の包装容器はその展開状態において複雑な外形を有している。そのため、シートを裁断するときに煩雑な作業を要する場合がある。また、組み立て作業を効率化するために、できるだけ接着剤や接着テープなどを使用することなくシートを箱状の包装容器に組み立てたいという要望もある。
【０００５】
本発明の目的は、製造工程や組み立て作業を効率化できる包装容器を提供することにある。
【課題を解決するための手段】
【０００６】
本発明に係る包装容器は、シートを折りたたむことで形成されている包装容器である。第１の方向における一方側を第１の側と定義し、前記第１の方向において前記第１の側とは反対側を第２の側と定義し、前記第１の方向に対して直交している第２の方向における一方側を第３の側と定義し、前記第２の方向において前記第３の側とは反対側を第４の側と定義したとき、前記包装容器は、次の構成を有する。すなわち、前記包装容器は底面部と、前記包装容器の展開状態において前記底面部の前記第１の側に位置し、前記底面部に折り目を介して繋がっている第１面部と、前記包装容器の展開状態において前記第１面部の前記第１の側に位置し、前記第１面部に折り目を介して繋がっている第１蓋部と、前記包装容器の展開状態において前記底面部の前記第２の側に位置し、前記底面部に折り目を介して繋がっている第２面部と、前記包装容器の展開状態において前記第２面部の前記第２の側に位置し、前記第２面部に折り目を介して繋がっている第２蓋部と、前記包装容器の展開状態において前記底面部の前記第３の側に位置し、前記底面部に折り目を介して繋がっている第３面部とを有する。前記包装容器はさらに、前記包装容器の展開状態において前記第１面部と前記第１蓋部の前記第３の側に位置し且つ前記第３面部の前記第１の側に位置し、前記第１面部と第１蓋部と前記第３面部とに折り目を介して繋がっており、前記第１面部と前記底面部との間の前記折り目で前記第１面部を折り、前記第３面部と前記底面部との間の前記折り目で前記第３面部を折ったときに前記第１面部の内面と前記第１蓋部の内面とに向けて折りたたむことのできる折り込み部、を有している。前記第２蓋部は、前記第１蓋部の内面に向けて折りたたまれた前記折り込み部と前記第１蓋部との間に差し込むことができる。
【０００７】
この包装容器によれば、底面部より第１の側の形状（第１蓋部及び第１面部）と、底面部より第２の側の形状（第２蓋部及び第２面部）を互いに近くできる。これにより、包装容器の形状がシンプルになり、包装容器の製造工程を効率化できる。また、必ずしも接着剤や接着テープなどを使用することなく第１蓋部と第２蓋部を閉じることができるので、包装容器を箱状に組み立てる作業を効率化できる。
【図面の簡単な説明】
【０００８】
【図１】本発明の一実施形態にかかる包装容器の例を示す斜視図である。
【図２】図１に示す包装容器の蓋部が少し開かれた状態を示す斜視図である。
【図３】図１に示す包装容器の蓋部及び側面部が開かれた状態を示す斜視図である。
【図４】図１に示す包装容器の蓋部、側面部、前面部、及び後面部が開かれた状態を示す斜視図である。
【図５Ａ】図１に示す包装容器の展開図である。
【図５Ｂ】図５Ａに示す領域Ｂの拡大図である。
【図５Ｃ】図５Ａに示す領域Ｃの拡大図である。
【発明を実施するための形態】
【０００９】
以下、本発明の一実施形態について説明する。図１は本発明の実施形態に係る包装容器の一例である包装容器１の斜視図である。図２は包装容器１の蓋部１５Ｒ、１５Ｌが少し開かれた状態を示す斜視図である。図３は包装容器１の蓋部１５Ｒ、１５Ｌ及び側面部１２Ｒ、１２Ｌが開かれた状態を示す斜視図である。図４は、蓋部１５Ｒ、１５Ｌ、側面部１２Ｒ、１２Ｌ、前面部１３、及び後面部１４が開かれた状態を示す斜視図である。図５Ａは包装容器１の展開図、すなわち包装容器１を構成するシートの平面図である。包装容器１はシートを折りたたむことによって形成される。シートは、例えば厚紙や段ボール紙で形成される。シートはプラスチックで形成されてもよい。図５Ｂは図５Ａに示す領域Ｂの拡大図である。図５Ｃは図５Ａに示す領域Ｃの拡大図である。
【００１０】
以下の説明では、図１及び図５Ａに示すＸ１及びＸ２の方向をそれぞれ右方向及び左方向と称し、図１及び図５Ａに示すＹ１及びＹ２の方向をそれぞれ前方及び後方と称する。また、図１に示すＺ１、Ｚ２方向をそれぞれ上方及び下方と称する。
【００１１】
図５Ａに示すように、包装容器１は底面部１１を有している。包装容器１を構成するシートを折りたたむ過程で、包装容器１によって包装される被収容物Ｇ（図４参照）は底面部１１に配置される。底面部１１は例えば四角形である。
【００１２】
図５Ａに示すように、包装容器１は右側面部１２Ｒと左側面部１２Ｌと前面部１３と後面部１４とを有している（右側面部１２Ｒ、左側面部１２Ｌ、前面部１３、及び後面部１４は請求項の「第１面部」、「第２面部」、「第３面部」、及び「第４面部」にそれぞれ対応している）。右側面部１２Ｒは折り目Ｆａを介して底面部１１の縁に接続され、左側面部１２Ｌは折り目Ｆｂを介して底面部１１の縁に接続されている。前面部１３は折り目Ｆｃを介して底面部１１の縁に接続されている。後面部１４は折り目Ｆｄを介して底面部１１の縁に接続されている。（以下において、各折り目に共通の説明をする場合には、折り目Ｆと称する）。折り目Ｆは、折り目Ｆを介して接続されている２つの面部が折り目Ｆで折れ曲がるように、他の部位に比べて構造的に弱くなっている。例えば、包装容器１を構成するシートは折り目Ｆで他の部位に比して薄くなっている。溝が折り目Ｆに形成されてもよい。図１に示すように、右側面部１２Ｒは折り目Ｆａで折られて包装容器１の右側面を構成し、左側面部１２Ｌは折り目Ｆｂで折られて包装容器１の左側面を構成する。前面部１３は折り目Ｆｃで折られて包装容器１の前面を構成し、後面部１４は折り目Ｆｄで折られて包装容器１の後面を構成する。包装容器１の展開状態では、右側面部１２Ｒと左側面部１２Ｌは左右方向において底面部１１を挟んで互いに反対側に位置し、前面部１３と後面部１４は前後方向において底面部１１を挟んで互いに反対側に位置している。すなわち、包装容器１の展開状態では、右側面部１２Ｒは底面部１１の右側に位置し、左側面部１２Ｌは底面部１１の左側に位置している。前面部１３は底面部１１の前側に位置し、後面部１４は底面部１１の後側に位置している。側面部１２Ｒ、１２Ｌ、前面部１３、及び後面部１４のそれぞれは例えば四角形である。
【００１３】
図５Ａに示すように、包装容器１は折り目Ｆｅを介して右側面部１２Ｒに接続されている右蓋部１５Ｒと、折り目Ｆｆを介して左側面部１２Ｌに接続されている左蓋部１５Ｌとを有している。包装容器１の展開状態において、右蓋部１５Ｒは右側面部１２Ｒのさらに右側に位置し、左蓋部１５Ｌは左側面部１２Ｌのさらに左側に位置している。右側面部１２Ｒが折り目Ｆａで折られ、左側面部１２Ｌが折り目Ｆｂで折られ、前面部１３が折り目Ｆｃで折られ、後面部１４が折り目Ｆｄで折られ、さらに、右蓋部１５Ｒが折り目Ｆｅで折られ、左蓋部１５Ｌが折り目Ｆｆで折られたとき、右蓋部１５Ｒ及び左蓋部１５Ｌは底面部１１と向き合い、箱状の包装容器１が形成される。このような包装容器１によれば、底面部１１より右側の形状（右蓋部１５Ｒ及び右側面部１２Ｒ）と、底面部１１より左側の形状（左蓋部１５Ｌ及び左側面部１２Ｌ）を互いに似せることができる。これにより、包装容器の形状をシンプルにでき、包装容器の製造における効率性を向上できる。
【００１４】
包装容器１の例では、前後方向での右蓋部１５Ｒの幅は右側面部１２Ｒと実質的に等しい。前後方向での左蓋部１５Ｌの幅は左側面部１２Ｌの幅と実質的に等しい。また、右側面部１２Ｒ、左側面部１２Ｌ、及び底面部１１の幅も前後方向において実質的に等しい。つまり、右蓋部１５Ｒと左蓋部１５Ｌは前後方向において実質的に等しい幅を有している。後において説明するように、右蓋部１５Ｒと折り込み部１６Ａ、１６Ｂとの間に左蓋部１５Ｌが差し込まれる。仮に左蓋部１５Ｌの幅と右蓋部１５Ｒの幅とが完全に等しいと、右蓋部１５Ｒと折り込み部１６Ａ、１６Ｂとの間に左蓋部１５Ｌが差し込まれるときに、左蓋部１５Ｌの縁が折り込み部１６Ａ、１６Ｂに引っ掛かる可能性がある。これを防止するため、包装容器１の例では前後方向での左蓋部１５Ｌの幅は前後方向での右蓋部１５Ｒの幅より僅かに小さい。具体的には、前後方向での左蓋部１５Ｌの幅は、包装容器１を構成しているシートの厚さ程度、右蓋部１５Ｒの幅より僅かに小さい。これによって、右蓋部１５Ｒと折り込み部１６Ａ、１６Ｂとの間に左蓋部１５Ｌをスムーズに差し込むことができる。ここでの説明において、「２つの面部の幅が実質的に等しい」とは、２つの面部の間にシートの厚さ程度の差異があることを許容している。例えば、「前後方向での底面部１１の幅は右側面部１２Ｒと実質的に等しい」とは、前後方向での底面部１１の幅と前後方向での右側面部１２Ｒの幅との間にシートの厚さ程度の差異があることを許容している。
【００１５】
後において詳説するように、側面部１２Ｒ、１２Ｌの前縁（折り目Ｆｈ）の位置は底面部１１の前縁（折り目Ｆｃ）に対して前後方向における中心側に僅かにずれている。同様に、側面部１２Ｒ、１２Ｌの後縁（折り目Ｆｈ）の位置は底面部１１の後縁（折り目Ｆｄ）に対して前後方向における中心側に僅かにずれている。このことによって、側面部１２Ｒ、１２Ｌの前後方向での幅Ｗ４、Ｗ５と蓋部１５Ｒ、１５Ｌの前後方向での幅Ｗ６、Ｗ７は、底面部１１の前後方向での幅Ｗ１よりも小さい。そして、左側面部１２Ｌの前後方向での幅Ｗ５と左蓋部１５Ｌの前後方向での幅Ｗ７は、右側面部１２Ｒの前後方向での幅Ｗ４と右蓋部１５Ｒの前後方向での幅Ｗ６よりも小さい。
【００１６】
図５Ａに示すように、包装容器１は折り込み部１６Ａ、１６Ｂを有している。折り込み部１６Ａは、包装容器１の展開状態において、右蓋部１５Ｒと右側面部１２Ｒの前側に位置し且つ前面部１３の右側に位置している。折り込み部１６Ａは右蓋部１５Ｒと右側面部１２Ｒと前面部１３とに折り目Ｆｇ、Ｆｈ、Ｆｉを介して繋がっている。詳細には、折り込み部１６Ａは折り目Ｆｇ、Ｆｈを介して右蓋部１５Ｒの前縁と右側面部１２Ｒの前縁に繋がっており、折り目Ｆｉを介して前面部１３の右縁に繋がっている。折り込み部１６Ｂは、包装容器１の展開状態において、右蓋部１５Ｒと右側面部１２Ｒの後側に位置し且つ後面部１４の右側に位置している。折り込み部１６Ｂは右蓋部１５Ｒと右側面部１２Ｒと後面部１４とに折り目Ｆｇ、Ｆｈ、Ｆｉを介して繋がっている。詳細には、折り込み部１６Ｂは、折り目Ｆｇ、Ｆｈを介して右蓋部１５Ｒの後縁と右側面部１２Ｒの後縁に繋がっており、折り目Ｆｉを介して後面部１４の右縁に繋がっている。
【００１７】
図３に示すように、前面部１３と後面部１４をそれぞれ折り目Ｆｃ、Ｆｄで折り曲げて底面部１１に対して立て、且つ右側面部１２Ｒを折り目Ｆａで折り曲げて底面部１１に対して立てたとき、折り込み部１６Ａ、１６Ｂは後述する折り目Ｆｊで折られて、右側面部１２Ｒ及び右蓋部１５Ｒの内面に向けて折り込まれる。すなわち、折り込み部１６Ａ、１６Ｂは折り目Ｆｊで折られて、右側面部１２Ｒ及び右蓋部１５Ｒに重なる。そして、左蓋部１５Ｌは、折り込み部１６Ａ、１６Ｂと右蓋部１５Ｒの内面との間に差し込むことができる（図１参照）。これにより、必ずしも接着剤や接着テープなどを使用することなく、蓋部１５Ｒ、１５Ｌを閉じることができ、包装容器１を箱状に組み立てる作業を効率化できる。左蓋部１５Ｌが折り込み部１６Ａ、１６Ｂと右蓋部１５Ｒの内面との間に差し込まれた状態では、前面部１３と後面部１４の開きは抑えられる。
【００１８】
図５Ａに示すように、右側面部１２Ｒ及び右蓋部１５Ｒの内面に向けて折り込み部１６Ａを折り込むことができるように、折り込み部１６Ａには斜め折り目Ｆｊが形成されている。折り込み部１６Ａの斜め折り目Ｆｊは底面部１１の角から斜めに伸び、前面部１３の右縁と右側面部１２Ｒの前縁との間に位置している。折り込み部１６Ａは、斜め折り目Ｆｊより前面部１３側に位置している第１の部分１６ａと、斜め折り目Ｆｊより右側面部１２Ｒ及び右蓋部１５Ｒ側に位置している第２の部分１６ｂ及び第３の部分１６ｃとを有している。第２の部分１６ｂは右側面部１２Ｒに接続され、第３の部分１６ｃは右蓋部１５Ｒに接続されている。第２の部分１６ｂと第３の部分１６ｃとの間には、右側面部１２Ｒと右蓋部１５Ｒとの間の折り目Ｆｅに沿った方向に伸びている折り目Ｆｋが形成されている。
【００１９】
図３に示すように、前面部１３を折り目Ｆｃで折って底面部１１に対して立てたとき、第１の部分１６ａは折り目Ｆｉで前面部１３に対して内側に折ることができる。第１の部分１６ａは折り目Ｆｉで約９０度折られ、前面部１３に対して略直角に配置される。このとき、第２の部分１６ｂは第１の部分１６ａに対して斜め折り目Ｆｊで約１８０度折られて、第１の部分１６ａに重なる。また、第２の部分１６ｂは右側面部１２Ｒの内面に向けて折り目Ｆｈで折られ、第３の部分１６ｃは右蓋部１５Ｒの内面に向けて折り目Ｆｇで折ることができる。第２の部分１６ｂと第３の部分１６ｃは折り目Ｆｈ、Ｆｇで約１８０度折られて、右側面部１２Ｒと右蓋部１５Ｒと向き合うように配置される。その結果、第３の部分１６ｃと右蓋部１５Ｒとの間に、左蓋部１５Ｌを差し込むための受け入れ部（薄い筒状の部位）が形成される。左蓋部１５Ｌは第３の部分１６ｃと右蓋部１５Ｒとの間に差し込むことができる（図１参照）。図２に示すように、右蓋部１５Ｒを右側面部１２Ｒに対して折り目Ｆｅで折ったとき、第３の部分１６ｃは折り目Ｆｋで第２の部分１６ｂに対して折られる。
【００２０】
包装容器１は、その展開状態では、左右方向に伸びている中心線Ｃ１に対して実質的に対称の形状を有しているのが好ましい。図５Ａに示すように、包装容器１の例では、右側面部１２Ｒと右蓋部１５Ｒと、後面部１４とを繋ぐ折り込み部１６Ｂにも、斜め折り目Ｆｊと折り目Ｆｋとが形成されている。すなわち、折り込み部１６Ｂも第１の部分１６ａ、第２の部分１６ｂ、第３の部分１６ｃを有している。折り込み部１６Ａと折り込み部１６Ｂは完全な対称でもよいし、それらの一部の形状や、サイズが互いに異なっていてもよい。
【００２１】
図５Ａに示すように、包装容器１は折り込み部１６Ｃ、１６Ｄを有している。折り込み部１６Ｃは、包装容器１の展開状態において、左蓋部１５Ｌと左側面部１２Ｌの前側に位置し且つ前面部１３の左側に位置している。折り込み部１６Ｃは、折り込み部１６Ａと同様に、左蓋部１５Ｌと左側面部１２Ｌと前面部１３とに折り目Ｆｇ、Ｆｈ、Ｆｉを介して繋がっている。折り込み部１６Ｄは、包装容器１の展開状態において、左蓋部１５Ｌと左側面部１２Ｌの後側に位置し且つ後面部１４の左側に位置している。折り込み部１６Ｄは左蓋部１５Ｌと左側面部１２Ｌと後面部１４とに折り目Ｆｇ、Ｆｈ、Ｆｉを介して繋がっている。包装容器１は、その展開状態では、前後方向に伸びている中心線Ｃ２に対して実質的に対称の形状を有している。包装容器１の例では折り込み部１６Ｃ、１６Ｄにも、上述の折り込み部１６Ａ、１６Ｂと同様、斜め折り目Ｆｊと折り目Ｆｋとが形成されている。すなわち、折り込み部１６Ｃ、１６Ｄも、第１の部分１６ａ、第２の部分１６ｂ、第３の部分１６ｃを有している。折り込み部１６Ｃ、１６Ｄは折り込み部１６Ａ、１６Ｂと完全な対称でもよいし、それらの一部の形状や、サイズが互いに異なっていてもよい。図３に示すように、前面部１３と後面部１４をそれぞれ折り目Ｆｃ、Ｆｄで折り曲げて底面部１１に対して立て、且つ左側面部１２Ｌを折り目Ｆｂで折り曲げて底面部１１に対して立てたとき、折り込み部１６Ｃ、１６Ｄは、折り込み部１６Ａ、１６Ｂと同様に、左側面部１２Ｌ及び左蓋部１５Ｌの内面に向けて折り込まれる。
【００２２】
左蓋部１５Ｌの左縁１５ｂは、その前後方向の中央部が左縁１５ｂの他の部分よりも左方向に位置するように形成されている。包装容器１の例では、左蓋部１５Ｌの左縁１５ｂはその前後方向の中央部が左方向に膨らむように湾曲している。このような左蓋部１５Ｌによれば、左蓋部１５Ｌを右蓋部１５Ｒと折り込み部１６Ａ、１６Ｂの間に差し込む作業が容易となる。例えば、左蓋部１５Ｌを右蓋部１５Ｒと折り込み部１６Ａ、１６Ｂの間に差し込むときに、左蓋部１５Ｌの左縁１５ｂの端部が折り込み部１６Ａ、１６Ｂに当たってしまい、差し込み作業が円滑に進まないことを防ぐことができる。包装容器１の例にかえて、左蓋部１５Ｌの左縁１５ｂは、その前後方向の中央部が左方向に膨らむように、前後方向の中央部で屈曲してもよい。包装容器１の例では、右蓋部１５Ｒの右縁１５ａは、その前後方向の中央部が右縁１５ａの他の部分よりも右方向に位置するように形成されている。具体的には、右蓋部１５Ｒの右縁１５ａも右方向に膨らむように湾曲している。
【００２３】
図５Ａに示すように、折り込み部１６Ａ、１６Ｂ、１６Ｃ、１６Ｄは外縁１６ｄを有している。包装容器１は外縁１６ｄからさらに外側に張り出す部分を有していない。折り込み部１６Ａの外縁１６ｄは右蓋部１５Ｒの右縁１５ａに接続している。折り込み部１６Ａの外縁１６ｄは右蓋部１５Ｒの右縁１５ａから前面部１３に向かって斜めに伸びている。こうすることにより、例えば、折り込み部１６Ａが矩形である場合に比べて、展開状態での包装容器１のサイズを小さくできる。その結果、包装容器１を構成するシートの使用量を低減でき、包装容器１の製造を効率化できる。図５Ａの例では、折り込み部１６Ａの外縁１６ｄは湾曲しながら斜めに伸びている。折り込み部１６Ａの外縁１６ｄは直線的に斜めに伸びてもよい。包装容器１の例では、折り込み部１６Ａの外縁１６ｄは前面部１３の前縁（後述する第１上面部１７Ａと前面部１３との間の折り目Ｆｍ）に接続している。折り込み部１６Ａの外縁１６ｄは必ずしも前面部１３の前縁（折り目Ｆｍ）に繋がっていなくてもよい。例えば、折り込み部１６Ａの外縁１６ｄは前面部１３の右縁（折り目Ｆｉ）に接続してもよい。折り込み部１６Ａの外縁１６ｄは、図５Ａに示すように、前面部１３の前縁に沿った方向に伸びている部分１６ｅを有してもよい。図５Ａの例に替えて、折り込み部１６Ａの外縁１６ｄは部分１６ｅを有することなく、その全体において湾曲してもよい。
【００２４】
他の折り込み部１６Ｂ、１６Ｃ、１６Ｄも、折り込み部１６Ａと同様、斜めに伸びている外縁１６ｄを有している。すなわち、折り込み部１６Ｂの外縁１６ｄは右蓋部１５Ｒの右縁１５ａから後面部１４の後縁に向かって斜めに伸びている。折り込み部１６Ｃの外縁１６ｄは、左蓋部１５Ｌの左縁１５ｂから前面部１３の前縁に向かって斜めに伸びている。折り込み部１６Ｄの外縁１６ｄは、左蓋部１５Ｌの左縁１５ｂから後面部１４の後縁に向かって斜めに伸びている。その結果、包装容器１は、その展開状態において、略楕円形状を有している。より具体的には、底面部１１、側面部１２Ｒ、１２Ｌ、前面部１３、後面部１４、蓋部１５Ｒ、１５Ｌの外周縁は全体として略楕円形状を有している。包装容器１の例では、この楕円の長軸方向の長さは、左蓋部１５Ｌと左側面部１２Ｌと底面部１１と右側面部１２Ｒと右蓋部１５Ｒの左右方向における幅の合計に対応している。この楕円の短軸方向の長さは、前面部１３と底面部１１と後面部１４の前後方向での長さに対応している。
【００２５】
図５Ａに示すように、包装容器１は第１上面部１７Ａを有している。第１上面部１７Ａは包装容器１の展開状態において前面部１３の前側に位置し、折り目Ｆｍを介して前面部１３に接続している。図２及び図３に示すように、包装容器１を閉じた状態で、すなわち、左蓋部１５Ｌが右蓋部１５Ｒと折り込み部１６Ａ、１６Ｂとの間に差し込まれた状態で、第１上面部１７Ａは右蓋部１５Ｒと左蓋部１５Ｌとによって覆われる。このような構造によれば、包装容器１を閉じたときに蓋部１５Ｒ、１５Ｌと前面部１３との隙間から被収容物Ｇが部分的に露出することを、第１上面部１７Ａによって抑えることができる。包装容器１はさらに第２上面部１７Ｂを有している。第２上面部１７Ｂは包装容器１の展開状態において後面部１４の後側に位置し、折り目Ｆｎを介して後面部１４に接続している（図５Ａ参照）。包装容器１を閉じた状態では、第２上面部１７Ｂは右蓋部１５Ｒと左蓋部１５Ｌとによって覆われる。このような構造によれば、包装容器１を閉じたときに蓋部１５Ｒ、１５Ｌと後面部１４との隙間から被収容物Ｇが露出することを、第２上面部１７Ｂによって抑えることができる。
【００２６】
図５Ａに示すように、上面部１７Ａ、１７Ｂの前後方向での幅Ｗ２は底面部１１の前後方向での幅Ｗ１よりも小さいのが好ましい。こうすることにより、上面部１７Ａ、１７Ｂが包装容器１の他の部位から大きく張り出すことが抑えられるので、展開状態での包装容器１の形状をシンプルにできる。その結果、包装容器１の製造を効率化できる。包装容器１の例では、２つの上面部１７Ａ、１７Ｂの幅Ｗ２の合計は底面部１１の幅Ｗ１よりも小さい。こうすることにより、展開状態での包装容器１の形状をさらにシンプルにできる。包装容器１の例では、２つの上面部１７Ａ、１７Ｂの幅Ｗ２の合計は底面部１１の幅Ｗ１の半分よりも小さい。また、上面部１７Ａ、１７Ｂが折り込み部１６Ａ、１６Ｂ、１６Ｃ、１６Ｄの外縁１６ｄを延長した円弧の内側に位置するように、上面部１７Ａ、１７Ｂの幅Ｗ２は設定されてもよい。前後方向での第１上面部１７Ａの幅と前後方向での第２上面部１７Ｂの幅は必ずしも同じでなくてもよい。
【００２７】
包装容器１の例では、左右方向における上面部１７Ａ、１７Ｂの幅は前面部１３及び後面部１４の左右方向の幅に一致している。上面部１７Ａ、１７Ｂの幅は前面部１３及び後面部１４の左右方向の幅よりも小さくてもよい。この場合、上面部１７Ａ、１７Ｂは、包装容器１を閉じたときに、２つの蓋部１５Ｒ、１５Ｌのうち一方にだけ覆われてもよい。
【００２８】
図５Ａに示すように、底面部１１は前後方向において幅Ｗ１を有している。また、側面部１２Ｒ、１２Ｌは前後方向において幅Ｗ４、Ｗ５をそれぞれ有している。包装容器１の例では、幅Ｗ４、Ｗ５は幅Ｗ１よりも小さい。これにより、包装容器１を閉じた状態で、折り込み部１６Ａ、１６Ｂと右側面部１２Ｒとの間の折り目Ｆｈの外面Ｈ１（図２参照）と、折り込み部１６Ｃ、１６Ｄと左側面部１２Ｌとの間の折り目Ｆｈの外面Ｈ２（図２参照）とに、外部の物が接することを抑えることができる（外面Ｈ１は、言い換えれば、右側面部１２Ｒの外面の前縁である。外面Ｈ２は、言い換えれば、左側面部１２Ｌの外面の前縁である）。例えば、前面部１３或いは後面部１４を下側にして包装容器１を床に置く場合に、床が外面Ｈ１、Ｈ２に接することを抑えることができる。その結果、例えば包装容器１の表面に塗装が施されている場合に、外面Ｈ１、Ｈ２の塗装に他の部分に触れるのを防ぐことができる。外面Ｈ１を有している折り目Ｆｈは、折り込み部１６Ａの第２の部分１６ｂが右側面部１２Ｒに対して約１８０折られる部分である。同様に、外面Ｈ２を有している折り目Ｆｈは、折り込み部１６Ｃの第２の部分１６ｂが左側面部１２Ｌに対して約１８０折られる部分である。
【００２９】
包装容器１は、４本以上の折り目Ｆが交差する位置に、包装容器１の厚さを減らす部位が形成されている。すなわち、包装容器１の例では、４本以上の折り目Ｆが交差する位置に、包装容器１を貫通する穴Ｍ、Ｎが形成されている。４本以上の折り目Ｆが交差する位置に、包装容器１を貫通しない穴Ｍ、Ｎ（すなわち、凹部）が形成されてもよい。穴Ｍ、Ｎによって、包装容器１の外面が折り目の交点で乱れことなく、包装容器１が組み立てられ得る。４本以上の折り目Ｆが交差する位置に、折り目Ｆに沿っており且つ包装容器１を貫通している切り込みが形成されてもよい。切り込みによって、包装容器１の外面が折り目の交点で乱れことなく、包装容器１が組み立てられ得る。
【００３０】
穴Ｍは底面部１１の４つ角に形成されている。図５Ｂでは、前面部１３と底面部１１との間の折り目Ｆｃ、底面部１１と右側面部１２Ｒとの間の折り目Ｆａ、折り込み部１６Ａと前面部１３との間の折り目Ｆｉ、折り込み部１６Ａと右側面部１２Ｒとの間の折り目Ｆｈ、及び折り込み部１６Ａに形成されている斜め折り目Ｆｊとが穴Ｍに接続している。すなわち、５つの折り目Ｆの始点が穴Ｍの縁に位置している。穴Ｍは例えば円形である。穴Ｍの形状は円形に限られず、適宜変更されてよい。底面部１１の他の３つの角にも、図５Ｂの穴Ｍと同様の穴Ｍが形成されている。穴Ｍに替えて、折り目Ｆに沿った切り込みが形成されてもよい。
【００３１】
図５Ｂに示すように、折り込み部１６Ａの第２の部分１６ｂと右側面部１２Ｒとの間の折り目Ｆｈは、前面部１３と底面部１１との間の折り目Ｆｃに対して後方にずれている。同様に、折り込み部１６Ｂの第２の部分１６ｂと右側面部１２Ｒとの間の折り目Ｆｈは、後面部１４と底面部１１との間の折り目Ｆｄに対して前方にずれている。このことによって、右側面部１２Ｒの前後方向での幅Ｗ４は、底面部１１の前後方向での幅Ｗ１よりも小さくなっている。また、折り込み部１６Ｃの第２の部分１６ｂと左側面部１２Ｌとの間の折り目Ｆｈは、前面部１３と底面部１１との間の折り目Ｆｃに対して後方にずれている。折り込み部１６Ｄの第２の部分１６ｂと左側面部１２Ｌとの間の折り目Ｆｈは、後面部１４と底面部１１との間の折り目Ｆｄに対して前方にずれている。このことによって、左側面部１２Ｌの前後方向での幅Ｗ５は、底面部１１の前後方向での幅Ｗ１よりも小さくなっている。
【００３２】
図５Ａの例に替えて、左右方向における前面部１３と後面部１４の幅が、左右方向における底面部１１の幅よりも小さくてもよい。こうすることによって、包装容器１を閉じた状態で、折り込み部１６Ａ、１６Ｃと前面部１３との間の折り目Ｆｉの外面と、折り込み部１６Ｂ、１６Ｄと後面部１４との間の折り目Ｆｉの外面とに、外部の物が接することを抑えることができる。
【００３３】
上述したように、包装容器１の例では、左蓋部１５Ｌは、右蓋部１５Ｒと折り込み部１６Ａ、１６Ｂとの間に差し込まれる。前後方向における左蓋部１５Ｌの幅Ｗ７は、前後方向における右蓋部１５Ｒの幅Ｗ６よりも小さい。こうすることで、右蓋部１５Ｒと折り込み部１６Ａ、１６Ｂとの間に左蓋部１５Ｌを差し込む作業を円滑に行うことが可能となる。
【００３４】
包装容器１の例では、前後方向での右蓋部１５Ｒの幅Ｗ６は右側面部１２Ｒの前後方向での幅Ｗ４と同じである。また、前後方向での左蓋部１５Ｌの幅Ｗ７は左側面部１２Ｌの前後方向での幅Ｗ５と同じである。そして、幅Ｗ５、Ｗ７は幅Ｗ４、Ｗ６よりも小さい。上述したように、包装容器１の例では、穴Ｍに接続している折り目Ｆの位置を前後方向でずらすことによって、側面部１２Ｒ、１２Ｌの幅Ｗ４、Ｗ５を調整している。具体的には、幅Ｗ５が幅Ｗ４よりも小さくなるように、右側面部１２Ｒの前縁と後縁とに設けられている折り目Ｆｈのずれ幅（底面部１１の折り目に対するずれ幅）は、左側面部１２Ｌの前縁と後縁とに設けられている折り目Ｆｈのずれ幅（底面部１１の折り目に対するずれ幅）よりも小さい。
【００３５】
蓋部１５Ｒ、１５Ｌ、側面部１２Ｒ、１２Ｌの幅の関係は、上述した例に限られない。例えば、右側面部１２Ｒの幅Ｗ４と左側面部１２Ｌの幅Ｗ５とが同じで、右蓋部１５Ｒの幅Ｗ６が側面部１２Ｒ、１２Ｌの幅Ｗ４、Ｗ５よりも大きく、左蓋部１５Ｌの幅Ｗ７が側面部１２Ｒ、１２Ｌの幅Ｗ４、Ｗ５よりも小さくてもよい。
【００３６】
図５Ａに示すように、包装容器１には４つの穴Ｎが形成されている。穴Ｎは、４つの折り目Ｆの交点に位置している。図５Ｃに示す穴Ｎは、折り込み部１６Ａの第３の部分１６ｃと第２の部分１６ｂとの間の折り目Ｆｋと、右蓋部１５Ｒと右側面部１２Ｒとの間の折り目Ｆｅ、右蓋部１５Ｒと第３の部分１６ｃとの間の折り目Ｆｇ、及び、右側面部１２Ｒと第２の部分１６ｂとの間の折り目Ｆｈの交点に位置している。図５Ｃに示すように、穴Ｎは例えば半円形である。穴Ｎの形状は必ずしも半円形に限られず、適宜変更されてよい。他の３つの穴Ｎも、図５Ｃに示す穴Ｎと同様に、４つの折り目Ｆの交点に位置している。包装容器１の例では、半円の穴Ｎは、その直線部分が折り目Ｆｈ、Ｆｇに沿った方向に伸びるように形成されている。
【００３７】
図５Ｃに示すように、右蓋部１５Ｒと第３の部分１６ｃとの間の折り目Ｆｇと、右側面部１２Ｒと第２の部分１６ｂとの間の折り目Ｆｈは前後方向での位置について一致している。そのため、上述したように、右側面部１２Ｒの幅Ｗ４と右蓋部１５Ｒの幅Ｗ６は同じである。一方、第３の部分１６ｃと第２の部分１６ｂとの間の折り目Ｆｋの位置と、右蓋部１５Ｒと右側面部１２Ｒとの間の折り目Ｆｅの位置は左右方向においてずれている。より具体的には、第３の部分１６ｃと第２の部分１６ｂとの間の折り目Ｆｋが、右蓋部１５Ｒと右側面部１２Ｒとの間の折り目Ｆｅに対して左右方向の中心側に位置している。これにより、図２及び図３に示すように右蓋部１５Ｒ及び第３の部分１６ｃを折り目Ｆｅ、Ｆｋで折るときに、包装容器１を構成しているシートの厚さが折り目Ｆｋ、Ｆｅのずれによって吸収される。その結果、その折り作業が容易となる。
【００３８】
図５Ｃに示す例と同様、左蓋部１５Ｌと折り込み部１６Ｃの第３の部分１６ｃとの間の折り目Ｆｇと、左側面部１２Ｌと第２の部分１６ｂとの間の折り目Ｆｈは前後方向での位置について一致している。一方、折り込み部１６Ｃの第３の部分１６ｃと第２の部分１６ｂとの間の折り目Ｆｋの位置と、左蓋部１５Ｌと左側面部１２Ｌとの間の折り目Ｆｆの位置は左右方向においてずれている。また、左蓋部１５Ｌと折り込み部１６Ｄの第３の部分１６ｃとの間の折り目Ｆｇと、左側面部１２Ｌと第２の部分１６ｂとの間の折り目Ｆｈは前後方向での位置について一致している。一方、折り込み部１６Ｄの第３の部分１６ｃと第２の部分１６ｂとの間の折り目Ｆｋの位置と、左蓋部１５Ｌと左側面部１２Ｌとの間の折り目Ｆｆの位置は左右方向においてずれている。
【００３９】
以上説明したように、包装容器１は、包装容器１は折り目Ｆｅを介して右側面部１２Ｒに接続されている右蓋部１５Ｒを有している。また、包装容器１は折り目Ｆｆを介して左側面部１２Ｌに接続されている左蓋部１５Ｌを有している。包装容器１の展開状態において、右蓋部１５Ｒは右側面部１２Ｒのさらに右側に位置し、左蓋部１５Ｌは左側面部１２Ｌのさらに左側に位置している。このような包装容器１によれば、底面部１１より右側の形状（右蓋部１５Ｒ及び右側面部１２Ｒ）と、底面部１１より左側の形状（左蓋部１５Ｌ及び左側面部１２Ｌ）を互いに似せることができる。これにより、包装容器の形状をシンプルにでき、包装容器の製造における効率性を向上できる。また、前面部１３と後面部１４をそれぞれ折り目Ｆｃ、Ｆｄで折り曲げて底面部１１に対して立て、且つ右側面部１２Ｒを折り目Ｆａで折り曲げて底面部１１に対して立てたとき、折り込み部１６Ａ、１６Ｂは右側面部１２Ｒ及び右蓋部１５Ｒの内面に向けて折り込まれる（図３参照）。そして、左蓋部１５Ｌは、折り込み部１６Ａ、１６Ｂと右蓋部１５Ｒの内面との間に差し込むことができる。これにより、必ずしも接着剤や接着テープなどを使用することなく、蓋部１５Ｌ、１５Ｒを閉じることができ、包装容器１を箱状に組み立てる作業を効率化できる。
【００４０】
本発明は以上説明した実施形態に限られず、種々の変更がなされてよい。例えば、次のような変更がなされてよい。
【００４１】
穴Ｍ、Ｎは必ずしも包装容器１に形成されていなくてもよい。
【００４２】
右蓋部１５Ｒの左右方向での幅と左蓋部１５Ｌの左右方向での幅は互いに異なっていてもよい。
【００４３】
包装容器は、右蓋部１５Ｒと左蓋部１５Ｌに替えて、前面部１３の前側に形成される蓋部と後面部１４の後側に形成される蓋部とを有してもよい。
【００４４】
底面部１１の前後方向での幅と側面部１２Ｒ、１２Ｌの前後方向での幅は同じでもよい。
【００４５】
右蓋部１５Ｒの前後方向での幅と左蓋部１５Ｌの前後方向での幅も同じでもよい。
【符号の説明】
【００４６】
１  包装容器、１１  底面部、１２Ｌ  左側面部、１２Ｒ  右側面部、１３  前面部、１４  後面部、１５Ｌ  左蓋部、１５Ｒ  右蓋部、１５ａ  右縁、１５ｂ  左縁、１６Ａ，１６Ｂ，１６Ｃ，１６Ｄ  折り込み部、１７Ａ  第１上面部、１７Ｂ  第２上面部。
【図１】
2017114498.tif 000003
【図２】
2017114498.tif 000004
【図３】
2017114498.tif 000005
【図４】
2017114498.tif 000006
【図５Ａ】
2017114498.tif 000007
【図５Ｂ】
2017114498.tif 000008
【図５Ｃ】
2017114498.tif 000009